【事件の表示】
　特許第３３４５６８１号「化粧シート」の請求項１ないし５に係る特許に対する特許異議の申立てについて、次のとおり決定する。
【結　論】
　特許第３３４５６８１号の請求項１ないし５に係る特許を維持する。
【理　由】
１．手続の経緯
　
　本件特許第３３４５６８１号は、平成１１年３月３１日の出願であって、平成１４年　９月６日にその特許権の設定登録がされ、その後、平成１５年５月１５日に特許異議申立人凸版印刷株式会社から特許異議の申立てがされたものである。
　
２．特許異議の申立ての概要
　
　特許異議申立人は、以下の甲第１号証〜甲第８号証を提出して、以下の主張をしている。
　本件の請求項１〜５に係る発明は、その出願の日前の特許出願であって、その出願後に出願公開がされた特願平１０−２５８５９４号の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、上記請求項に係る発明の特許は、特許法第２９条の２第１項の規定に違反してなされたものである。
　
　甲第１号証：特開２０００−　８５０６６号公報
　　　　　　（特願平１０−２５８５９４号の公開公報）
　甲第２号証：特開平１０−　５８６１５号公報
　甲第３号証：特開平１０−　１１９２０２号公報
　甲第４号証：特開平１０−　１１９２０９号公報
　甲第５号証：特開平１０−　２１７４０７号公報
　甲第６号証：特開平１０−　２３０５４６号公報
　甲第７号証：特開平１０−　２９２８１号公報
　甲第８号証：特開平１０−　２３５７７１号公報
　
３．本件発明
　
　本件発明は、特許明細書の記載からみて、その特許請求の範囲に記載された次のとおりのものと認める。
　
「【請求項１】　透明なポリオレフィン系樹脂フィルム、絵柄層、及び着色アクリル樹脂フィルムをこの順に積層し、表面が透明なポリオレフィン系樹脂フィルムである化粧シートにおいて、該透明なポリオレフィン系樹脂フィルムがアイソタクチックポリプロピレン１０〜９０重量％とアタクチックポリプロピレン９０〜１０重量％の混合系からなる無色又は着色透明な軟質ポリプロピレン系樹脂であることを特徴とする化粧シート。
　【請求項２】　請求項１記載の透明なポリオレフィン系樹脂フィルムと着色アクリル樹脂フィルムを熱融着法、又はドライラミネーション法により積層したことを特徴とする請求項１に記載の化粧シート。
　【請求項３】　請求項１記載の化粧シート表面の透明なポリオレフィン系樹脂フィルムに、エンボス模様を形成し、該エンボス模様にワイピング加工を施し、その上にオーバープリント層を形成したことを特徴とする請求項１又は請求項２に記載の化粧シート。
　【請求項４】　請求項１記載の化粧シート裏面の着色アクリル樹脂フィルムに、プライマー層を形成したことを特徴とする請求項１乃至請求項３のいずれかに記載の化粧シート。
　【請求項５】　請求項１記載の化粧シートの着色アクリル樹脂フィルムの、１００℃３０分の加熱による収縮率が、縦方向において０〜２０％、横方向において−１０〜＋１０％であることを特徴とする請求項１乃至請求項４のいずれかに記載の化粧シート。
　
　以下、請求項１〜５に係る発明を、それぞれ「本件発明１」〜「本件発明５」という。
　
４．甲号各証の記載
　
　甲第１号証には、以下の事項が記載されている。
　ア．「熱可塑性アクリル系樹脂からなる基材シートの表面に、熱可塑性オレフィン系樹脂からなる透明樹脂層を具備することを特徴とする化粧シート。」（特許請求の範囲の請求項１）
　イ．「前記基材シートが、隠蔽性顔料を含有する隠蔽性の基材シートであることを特徴とする請求項１に記載の化粧シート。」（特許請求の範囲の請求項２）
　ウ．「本発明の化粧シートは、熱可塑性アクリル系樹脂からなる基材シート１の表面に、適宜設けられる絵柄層３を介して、熱可塑性ポリオレフィン系樹脂からなる透明樹脂層２が設けられて構成されるものである。」（【００１２】）
　エ．「隠蔽性顔料の内、光吸収性の高い顔料は・・・着色顔料と称され、逆に光吸収性の殆どない顔料は・・・白色顔料と称される。そして、光吸収係数と屈折率とのバランスの良い顔料を選択するか、若しくは、上述した着色顔料と白色顔料とを適宜の比率で配合して使用することにより、任意の所望の色調を得ることができる訳である。」（【００１７】）
　オ．「基材シート１の厚さには特に制限はなく、従来の一般の化粧シートの基材シートと同様の厚さのものを使用することができる。具体的には、化粧シートの用途や樹脂の種類にもよるが、一般に２０〜２００μｍ程度の範囲から選ばれ、特に好ましい範囲は５０〜１００μｍ程度である。」（【００２８】）
　カ．「一般的には、基材シート１の表面又は透明樹脂層２の裏面に印刷法等の手段により適宜の絵柄層３が設けられる場合が多い。」（【００２９】）
　キ．「熱可塑性オレフィン系樹脂として・・・本発明の目的に最も好適なのはポリプロピレン系樹脂、すなわちポリプロピレンを主成分とする単独又は共重合体であり、具体的には、例えばホモポリプロピレン樹脂、ランダムポリプロピレン樹脂、ブロックポリプロピレン樹脂、及び、ポリプロピレン結晶部を有し、且つプロピレン以外の炭素数２〜２０のα−オレフィン・・・のコモノマーを１５モル％以上含有するプロピレン−α−オレフィン共重合体などを例示することができる。また、通常ポリプロピレン系樹脂の柔軟化に用いられるエチレン−α−オレフィン共重合体、エチレン−プロピレン共重合ゴム、エチレン−プロピレン−非共役ジエン共重合体ゴム等の改質剤を添加することもできる。」（【００３９】）
　ク．「透明樹脂層２の形成方法にも特に制限はなく、従来公知の任意の方法を適宜適用することができる。具体的には例えば、予めフィルム状乃至シート状に成形された透明樹脂層２をドライラミネート接着剤、感熱接着剤、感圧接着剤又は電離放射線硬化型接着剤等の適宜の接着剤を介して接着する方法、或いは接着剤を介さずに熱圧着又は超音波溶着等の手段によって直接接着する方法や、・・・等、従来公知の各種の方法の中から、樹脂の特性に合致した方法を適宜選択して使用することができる。」（【００４２】）
　ケ．「【実施例】・・・着色アクリル系樹脂フィルム・・・その表面に・・・ウレタン系グラビア印刷インキにて木目柄を印刷し、該印刷面上に、厚さ２０μｍのエチレン−エチルアクリレート系接着性樹脂層と・・・厚さ９０μｍのランダム重合ポリプロピレン樹脂の透明樹脂層とを、共押し出しラミネート法にて順次積層し、更に該透明樹脂層の表面に２液硬化型ウレタン樹脂系表面保護層を・・・形成して、本発明の化粧シートを作製した。」（【００５２】）
　
　甲第２号証には、以下の事項が記載されている。
　コ．「エチレン・ビニルアルコール共重合体樹脂シートの表面に、熱可塑性エラストマー樹脂シートを積層してなる積層シートにおいて、少なくとも一方のシートに装飾処理することを特徴とする化粧シート。」（特許請求の範囲の請求項１）
　サ．「本発明の化粧シートにおいて、表面シートとなるのは熱可塑性エラストマー樹脂シートである。そして、このような熱可塑性エラストマーとは、ポリスチレン系熱可塑性エラストマー、ポリオレフィン系熱可塑性エラストマー・・・のことである。」（【０００８】）
　シ．「主なオレフィン系熱可塑性エラストマーとしては、
１）特公平６−２３２７８号公報記載の（Ａ）数平均分子量Ｍｎが２５０００以上、且つ重量平均分子量Ｍｗと数平均分子量Ｍｎとの比Ｍｗ／Ｍｎ≦７の沸騰ヘプタン可溶ポリプロピレン１０〜９０重量％と、（Ｂ）メルトインデックスが０．１〜４ｇ／１０分の沸騰ヘプタン不溶性ポリプロピレン９０〜１０重量％との混合物からなる軟質ポリプロピレン。」（決定注：丸付き数字１を１）で代用して表示した。）（【０００９】）
　ス．「加熱寸法収縮率とＶカット加工等の曲げ加工時の耐亀裂・破断性とに相関関係が有り、本発明（特に請求項３及び請求項２）で用いる『熱可塑性エラストマー樹脂シート』と『エチレン・ビニルアルコール共重合体樹脂シート』とは、１００°Ｃ雰囲気中で３０分間加熱した後の寸法収縮率（加熱前を基準として）、即ち、
〔（加熱後の寸法）−（加熱前の寸法）〕×１００／（加熱前の寸法）＝加熱寸法収縮率（％）
が、長尺帯状シートの場合、シート長手方向が−２〜＋７％、シート幅方向が−７〜＋２％の範囲にあるものを指すものとする。寸法収縮率が此の範囲から逸脱すると、耐衝撃強度に対し、伸び率と引き裂き伝幡抵抗が大幅に低下し、シートに衝撃的な折り曲げが加わるため、Ｖカット加工時に亀裂を生じ易くなり好ましくない。」（【００１８】）
　
　甲第３号証には、以下の事項が記載されている。
　セ．「基材シートと該基材シートの表面側に接着性層を介して設けられた表面樹脂層とからなる化粧シートであって、上記表面樹脂層がポリオレフィン系樹脂を主成分とするものであり、且つ接着性層が変性オレフィンビーズを含有していることを特徴とする化粧シート。」（特許請求の範囲の請求項１）
　ソ．「基材シート２は、（ａ）ポリオレフィン系樹脂フィルム又はシート（以下本発明においてシートと言う場合、フィルムも含む）、或いは（ｂ）紙等の繊維質シートが用いられる。」（【０００８】）
　タ．「また好ましい表面樹脂層として、アイソタクチックポリプロピレンとアクタチックポリプロピレンとの混合系からなる、複合立体構造を有する無色又は着色透明な軟質ポリプロピレン系樹脂からなるシートがある。このポリプロピレン系樹脂は具体的には（Ａ）・・・沸騰ヘプタン可溶性ポリプロピレン（アタクチックポリプロピレン）１０〜９０重量％と、（Ｂ）メルトインデックスが０．１〜４ｇ／１０分の沸騰ヘプタン不溶性ポリプロピレン（アイソタクチックポリプロピレン）９０〜１０重量％とからなる軟質ポリプロピレン樹脂組成物が挙げられる。」（【００３２】）　
　
　甲第４号証には、以下の事項が記載されている。
　チ．「基材シートと該基材シートの表面側に接着性層を介して設けられた表面樹脂層とからなる化粧シートであって、上記表面樹脂層がポリオレフィン系樹脂を主成分とするものであり、且つ接着性層が変性オレフィン樹脂及びイソシアネートを含有する組成物より形成されていることを特徴とする化粧シート。」（特許請求の範囲の請求項１）
　ツ．「基材シート２は、（ａ）ポリオレフィン系樹脂フィルム又はシート（以下本発明においてシートと言う場合、フィルムも含む）、或いは（ｂ）紙等の繊維質シートが用いられる。」（【０００８】）
　テ．「また好ましい表面樹脂層として、アイソタクチックポリプロピレンとアクタチックポリプロピレンとの混合系からなる、複合立体構造を有する無色又は着色透明な軟質ポリプロピレン系樹脂からなるシートがある。このポリプロピレン系樹脂は具体的には、（Ａ）・・・沸騰ヘプタン可溶性ポリプロピレン（アタクチックポリプロピレン）１０〜９０重量％と、（Ｂ）メルトインデックスが０．１〜４ｇ／１０分の沸騰ヘプタン不溶性ポリプロピレン（アイソタクチックポリプロピレン）９０〜１０重量％とからなる軟質ポリプロピレン樹脂組成物が挙げられる。」（【００３２】）
　
　甲第５号証には、以下の事項が記載されている。
　ト．「不透明着色ポリエステルフィルムからなる基材シートの表面に任意の絵柄の印刷インキ層、接着剤層、透明オレフィン系熱可塑性エラストマー樹脂層が順次積層され、印刷インキ層の絵柄に同調した凹陥模様が施されてなる化粧シートであって、前記透明オレフィン系熱可塑性エラストマー樹脂層を印刷済み基材シートに溶融押出しでトップシートとして積層すると同時にエンボス加工により凹陥模様が施されてなることを特徴とする化粧シート。」（特許請求の範囲の請求項１）
　ナ．「表面に設けられる透明オレフィン系熱可塑性エラストマーとして好ましいものは、・・・アイソタクチックポリプロピレンとアタクチックポリプロピレンとの混合系からなる、複合立体構造を有する無色又は着色透明な軟質ポリプロピレン系樹脂からなるシートである。・・・この軟質ポリプロピレン系樹脂としては、具体的には、（Ａ）・・・沸騰ヘプタン可溶性ポリプロピレン（アタクチックポリプロピレン）１０〜９０重量％と、（Ｂ）メルトインデックスが０．１〜４ｇ／１０分の沸騰ヘプタン不溶性ポリプロピレン（アイソタクチックポリプロピレン）９０〜１０重量％とからなる軟質ポリプロピレン樹脂組成物が挙げられる。」（【００２７】）
　
　甲第６号証には、以下の事項が記載されている。　　
　ニ．「本発明のオレフィン化粧シート１は、ポリオレフィンシート等からなる基材シートの表面側に直接あるいは接着性層を介してポリオレフィン系樹脂を主成分とする表面樹脂層が設けられてなる。
　基材シートは、（ａ）ポリオレフィン系樹脂フィルム又はシート（以下本発明においてシートと言う場合、フィルムも含む）が用いられる。」 （【００１１】、【００１２】）
　ヌ．「また好ましい表面樹脂層として、アイソタクチックポリプロピレンとアクタチックポリプロピレンとの混合系からなる、複合立体構造を有する無色又は着色透明な軟質ポリプロピレン系樹脂からなるシートがある。このポリプロピレン系樹脂は具体的には、・・・沸騰ヘプタン可溶性ポリプロピレン（アタクチックポリプロピレン）１０〜９０重量％と、（Ｂ）メルトインデックスが０．１〜４ｇ／１０分の沸騰ヘプタン不溶性ポリプロピレン（アイソタクチックポリプロピレン）９０〜１０重量％とからなる軟質ポリプロピレン樹脂組成物が挙げられる。」（【００２７】）
　
　甲第７号証には、以下の事項が記載されている。
　ネ．「エチレン・ビニルアルコール共重合体樹脂シートの表面に、アクリル樹脂シートを積層してなる積層シートにおいて、少なくとも一方のシートに装飾処理することを特徴とする化粧シート。」（特許請求の範囲の請求項１）
　ノ．「加熱寸法収縮率とＶカット加工等の曲げ加工時の耐亀裂・破断性とに相関関係が有り、本発明（特に請求項３及び請求項２）で用いる『アクリル樹脂シート』と『エチレン・ビニルアルコール共重合体樹脂シート』とは、１００°Ｃ雰囲気中で３０分間加熱した後の寸法収縮率（加熱前を基準として）、即ち、
〔（加熱後の寸法）−（加熱前の寸法）〕×１００／（加熱前の寸法）＝加熱寸法収縮率（％）が、長尺帯状シートの場合、シート長手方向が−２〜＋７％、シート幅方向が−７〜＋２％の範囲にあるものを指すものとする。寸法収縮率が此の範囲から逸脱すると、耐衝撃強度に対し、伸び率と引き裂き伝幡抵抗が大幅に低下し、シートに衝撃的な折り曲げが加わるため、Ｖカット加工時に亀裂を生じ易くなり好ましくない。」（【００１２】）
　
　甲第８号証には、以下の事項が記載されている。
　ハ．「第１の着色熱可塑性樹脂層、絵柄印刷層、ヘイズ度が１〜８％の範囲にあり、且つ波長４００ｎｍ〜７００ｎｍの範囲の光線透過率が７０％以上である第２の透明な熱可塑性樹脂層、及び成形性のよいハードコート層が順次積層してなることを特徴とする高鮮映化粧シート。」（特許請求の範囲の請求項１）
　ヒ．「着色熱可塑性樹脂シート１１としては、上記物性を備えた熱可塑性樹脂であれば使用可能であるが、その中でも、特に、アクリル樹脂、ＡＢＳ樹脂、ポリスチレン樹脂、ポリオレフィン樹脂等がよい。」（【００１１】）
　フ．「本発明で用いる着色熱可塑性樹脂シートは、その加熱収縮率とＶカット加工における曲げ加工時の亀裂・破断性とに相関関係があり、１００℃雰囲気中で３０分加熱した後の寸法収縮率（加熱前を基準として）が、長尺帯状シートの場合、シート長手方向が−２〜＋７％、シート幅方向が−７〜＋２％の範囲が好ましい。寸法収縮率がこの範囲から逸脱するとＶカット加工時に亀裂が生じて好ましくない。」（【００１４】）
　ヘ．「本発明に使用される透明な熱可塑性樹脂シートとしては、上記のように、所定のヘイズ度と光線透過率を有するものであれば、特に制限されないが、中でもポリエステルシート、アクリルシート、ポリプロピレンシート、エチレンービニルアルコール共重合体シート、ポリカーボネートシート、三酢酸セルロースシート等が好適である。」（【００１７】）
　
５．対比・判断
　
（１）本件発明１についての判断
　
　本件発明１と、特願平１０−２５８５９４号の願書に最初に添付された明細書又は図面に記載された発明とを対比する。
　上記明細書には、上記出願の公開公報である甲第１号証の摘示記載ア．〜ケ．からみて、以下の発明が記載されていると認められる。
「熱可塑性オレフィン系樹脂からなりフィルム状に成形された透明樹脂層が、絵柄層を介して、熱可塑性アクリル系樹脂からなり着色顔料等の隠蔽性顔料を含有する隠蔽性の基材シートの表面に設けられた化粧シートであって、上記熱可塑性オレフィン系樹脂からなる透明樹脂層が改質剤を添加して柔軟化したポリプロピレン系樹脂からなる、化粧シート。」（以下、「先願明細書に記載された発明」という。）
　上記先願明細書に記載された発明の「熱可塑性オレフィン系樹脂からなりフィルム状に成形された透明樹脂層」、「絵柄層」、「熱可塑性アクリル系樹脂からなり着色顔料等の隠蔽性顔料を含有する隠蔽性の」は、それぞれ、本件発明１の「透明なポリオレフィン系樹脂フィルム」、「絵柄層」、「着色アクリル樹脂」に相当する。
　そして、先願明細書に記載された発明において、熱可塑性オレフィン系樹脂からなりフィルム状に成形された透明樹脂層が、絵柄層を介して、熱可塑性アクリル系樹脂からなり着色顔料等の隠蔽性顔料を含有する隠蔽性の基材シートの表面に設けられていることから、上記透明樹脂層、上記絵柄層、上記隠蔽性の基材シートはこの順に積層しており、かつ、表面が上記透明樹脂層であるものと認める。また、先願明細書に記載された発明における「基材シート」は、その厚みは５０〜１００μｍ程度が特に好ましいことからみて（摘示記載オ．）、本件発明１の「フィルム」に相当する。さらに、先願明細書に記載された発明における「改質剤を添加して柔軟化したポリプロピレン系樹脂」は、本件発明１の「軟質ポリプロピレン系樹脂」に相当し、かつ、上記柔軟化したポリプロピレン系樹脂から透明樹脂層が形成されるのだから、上記柔軟化したポリプロピレン系樹脂自体も透明（本件発明１の「無色又は着色透明」）であるものと認める。
　したがって、本件発明１と、先願明細書に記載された発明は、
「透明なポリオレフィン系樹脂フィルム、絵柄層、及び着色アクリル樹脂フィルムをこの順に積層し、表面が透明なポリオレフィン系樹脂フィルムである化粧シートにおいて、該透明なポリオレフィン系樹脂フィルムが無色又は着色透明な軟質ポリプロピレン系樹脂であることを特徴とする化粧シート。」
である点で一致し、本件発明１においては、軟質ポリプロピレン系樹脂がアイソタクチックポリプロピレン１０〜９０重量％とアタクチックポリプロピレン９０〜１０重量％の混合系からなるのに対し、先願明細書に記載された発明においては、軟質ポリプロピレン系樹脂が改質剤を添加したポリプロピレン系樹脂であり、アイソタクチックポリプロピレン１０〜９０重量％とアタクチックポリプロピレン９０〜１０重量％の混合系ではない点で相違する。
　上記相違点について、特許異議申立人は、甲第２号証〜甲第６号証を提出して、化粧シートにおける表面シートとしての透明なポリオレフィン系樹脂フィルムを、アイソタクチックポリプロピレン１０〜９０重量％とアタクチックポリプロピレン９０〜１０重量％の混合系からなる軟質ポリプロピレン系樹脂によって設けることは、本件特許出願前に周知慣用手段であり、また本件特許発明において格別の作用効果を奏するとも認められないから、上記相違点は、設計上の微差に過ぎず、本件発明１は、先願明細書に記載された発明と実質的に同一である旨主張している（特許異議申立書第９頁第２３行〜２９第行参照。）。
　そこで、上記主張について検討すると、甲第２号証〜甲第６号証には、化粧シートにおいて、アイソタクチックポリプロピレン１０〜９０重量％とアタクチックポリプロピレン９０〜１０重量％の混合系からなる軟質ポリプロピレン系樹脂で構成された表面樹脂層を、エチレン・ビニルアルコール共重合体樹脂シート、ポリオレフィン系樹脂フィルム又はシート、繊維質シート、若しくはポリエステルフィルムの基材シート上に設けることが記載されていると認められる（摘示記載コ．〜ヌ．）。しかし、このようなアイソタクチックポリプロピレン１０〜９０重量％とアタクチックポリプロピレン９０〜１０重量％の混合系からなる軟質ポリプロピレン系樹脂で構成された表面樹脂層が周知であったとしても、甲第１号証には、エチレン−α−オレフィン共重合体、エチレン−プロピレン共重合ゴム、エチレン−プロピレン−非共役ジエン共重合体ゴム等の改質剤を添加して柔軟化した軟質ポリプロピレン系樹脂を用いることの記載はあっても、アイソタクチックポリプロピレンとその立体構造が異なるアタクチックポリプロピレンを併用することは示唆すらない（摘示記載キ．、ケ．）のであるから、甲第１号証には、軟質ポリプロピレン系樹脂としてアイソタクチックポリプロピレンとアタクチックポリプロピレンの混合系からなるものが実質的に記載されているとまではいえない。
　したがって、特許異議申立人の上記主張は採用することができず、上記相違点は、実質的な相違点である。
　以上のとおり、本件発明１は、先願明細書に記載された発明と同一でない。
　
（２）本件発明２〜５についての判断
　
　本件発明２は、本件発明１を引用して記載し、技術的な限定を加えたものである。
　本件発明３は、本件発明１または２を引用して記載し、技術的な限定を加えたものである。
　本件発明４は、本件発明１〜３のいずれかを引用して記載し、技術的な限定を加えたものである。
　本件発明５は、本件発明１〜４のいずれかを引用して記載し、技術的な限定を加えたものである。
　そして、本件発明１は、上記５．（１）で検討したとおり、先願明細書に記載された発明と同一でない。
　したがって、本件発明２〜５は、同様に、先願明細書に記載された発明と同一でない。
　
６．むすび
　
　以上のとおりであるから、特許異議の申立ての理由および証拠によっては、本件特許を取り消すことができない。
　また、他に本件特許を取り消すべき理由を発見しない。
　よって、結論のとおり決定する。
【異議決定日】
平成１６年１０月２８日（２００４．１０．２８）